(57)【要約】【課題】  おならの音を消すために、お尻に貼って使用する絆創膏の片面には粘着剤が塗られています、粘着剤は空気を通しずらい材質ですので、ガスの噴出口である肛門を覆って絆創膏を、お尻に貼り付けますとガスの逃げ場を塞いでしまいます、溜ったガスは貼り付けられた絆創膏の僅かな隙間を強引にくぐり抜けて噴き出します、この時に音が出る事があるのです、【解決手段】  絆創膏の中央部に丸く開いた窓を設けました、窓には通気性の優れた布を張り設けました、こうしてガスの通り道を確保したのです、この事により吹き出したガスは海綿状の布を容易に通過し、その流れが乱されるために消音効果を発揮します、よって絆創膏がガスの逃げ場を塞いでしまう事態は解消され、さらに、おならの音が出るのを抑制できるのです、【選択図】図１
2017056168.tif 000002
【特許請求の範囲】
【請求項１】
絆創膏に塗られている粘着剤（２）は通気性が悪く、ガスの逃げ場を塞いでしまいますので、絆創膏（１）の中央部に丸く開いた窓（４）を設けた事を特徴とする絆創膏
【請求項２】
絆創膏（１）の中央部に丸く開いた窓（４）に布（３）を設けた事を特徴とする請求項１記載の絆創膏
【発明の詳細な説明】
【発明の詳細な説明】
【技術分野】
【０００１】  私たちは食べ物を胃で消化し分解を進め腸で栄養分を吸収します、その過程でガスが発生します、腸内に溜ったガスは体外におならとして排出されます、この時に音が出る事があります、周りに人がいる時には恥かしい思いをします、自然現象ですから仕方のない事とは云え、おならの音は出したくないものです、本発明は、おならが出た時の音を消すために、お尻に貼って使用する絆創膏に関するものである。
【背景技術】
【０００２】  食べ物の種類や腸の調子が良くない時にやたらとおならが出る事があります，ガスの量が多いと音も大きくなり周りの人に不愉快な思いをさせます，迷惑をかけぬよう、何とかおならの音を抑えようとしますが中々思うようにはいきません、この事は、授業中や会議中、或いは式典等に参加している時などに苦い思いをします，また、寝室を共にする夫婦にとって深刻な悩みとなることもあります、簡単な方法で消音出来るなら多くの人に喜んでいただけます。【０００３】  笛やトランペット等の管楽器を演奏する時は、マウスピースに唇を押し当てて息を強く吹き込みます，そのことにより唇の皮膚の微妙な震えで音が出ます、おならの音も原理は同じです、肛門や肛門の周りの皮膚が噴出するガスにより震えることで音は発せられます、しかし、笛やトランペットを吹くときに唇に小さな異物があったとします、この場合音を出す事はかなり困難です、強く息を吹き込んでも音を出すことはできません、空気の流れが異物により少し変化することで唇の皮膚の微妙な震えが阻止されるためです、この現象をおならの消音に利用する事は出来ないものかと考えて、腸内に溜ったガスが吹き出す肛門の出口を、海綿状の柔らかい布で覆う方法を試みました、ガスは布の中を通過する際に、流れが乱されて肛門の周囲の皮膚の震えを阻止します，したがっておならの音を消す事が出来るのです。
【発明の開示】
【発明が解決しようとする課題】
【０００４】  解決しようとする問題点は、腸内に溜ったガスの吹き出し口である肛門を柔らかい布で覆った場合、布が剥がれ落ちるのを防ぐために、絆創膏には片面に粘着剤が塗られておりますので、絆創膏はお尻の肌に貼り付けられる事により肛門を覆います、しかし、粘着剤は空気を通しにくい材質ですから、絆創膏をお尻の肌に貼ることによりガスの行き場を塞いでしまいます、逃げ場を失ったガスは、貼り付けられた絆創膏の一部の隙間を潜り抜けて、無理やり吹き出します、この時に音を発してしまいます、
【課題を解決するための手段】
【０００５】  絆創膏の形状は、図１、で示す様に円形を基本とし、消音のために用いる布（３）の材質は通気性の優れた海綿状の綿や紙布を使用します、絆創膏（１）の片面には粘着剤が塗りつけられております、粘着剤（２）は通気性が良くないために絆創膏を、お尻の肌に貼って密着するとガスの行き場を塞いでしまうという問題を生じます、このような課題を解決するために、絆創膏（１）の中央部に丸く開いた窓（４）を設けました、窓（４）には、布（３）を張り設けて丸く開いた窓（４）を塞ぎました、海綿状の布（３）は通気性に優れておりますのでガスの通り道となります、この事により噴出されたガスの流れが布（３）を通過する際に乱されると共に、スムウズに通り抜けられるようになります、したがってガスの行き場を塞ぐことはありません、
【発明の効果】
【０００６】  絆創膏を装着する場合は、図３、で示す様に絆創膏（１）の中央に設けた窓（４）を肛門（６）の位置に合わせながら肛門を覆います、次に窓（４）の布（３）を指で軽く押し付けながら、絆創膏（１）をお尻（５）に密着させます、その後に立ち上がったり、歩いたり、座ったり、寝るなどの姿勢を変化させても、図４に示す様に絆創膏（１）は両方のお尻（５）に挟まれて、二つ折になりより強く貼り着きます、潰れそうな状態の絆創膏（１）ですが、布（３）は海綿状態を保ちますのでガスの通る余地を残しています，したがって、ガスの逃げ道が塞がれる事はなく、さらに肛門に密着している布（３）はガスの流れを変化させるのでおならの音を消す事ができるのです、
【発明を実施するための最良の形態】
【０００７】  絆創膏の装着は、粘着剤を保護するため絆創膏（１）に予め設けられている、セロハン紙を剥がし、絆創膏（１）を指でつまんで、図３に示す様に布（３）を肛門（６）の位置に合わせてお尻（５）に貼り付けます、貼り付けた後に図４、で示す様に股を閉じますと、絆創膏（１）は二つ折りになって左右のお尻にすっぽりと挟まれます、絆創膏の大きさは直径が５ｃｍ前後の小さな円形ですから、もしも裸姿で立ったり歩いたりしても絆創膏（１）は、左右のお尻（５）の奥に隠れますので、装着している様子を人に気ずかれる心配はありません、
【実施例】
【０００７】  絆創膏の装着は、前かがみ或いは、しゃがみこんだ姿勢で、図３、で示す様にお尻（５）を開き、絆創膏（１）の窓（４）に設けた布（３）を肛門（６）に合わせて指で軽く押し付けながら、絆創膏全体を貼り付けます、絆創膏（１）は肛門（６）を覆ってお尻に貼り着きます、指を離して立ち上がり足を閉じますと、図４、に示す様に絆創膏（１）は両方のお尻に挟まれて更に強く密着します、歩く、立つ、座る等々どのように姿勢が変化しても剥がれ落ちることはありません、
【産業上の利用可能性】
【０００８】  胃腸の調子が良くない時や食べ物のせいでガスの溜まりが多い時などに、絆創膏（１）を装着すると安心して生活をすることが出来ます、また、就寝時には同室の者に気がねなく眠る事が出来ますので、おならで悩みを持つ方に大変喜ばれます，さらには絆創膏の粘着剤（２）や布（３）に殺菌剤や消臭剤を染み込ませることにより、衛生的効果や消臭効果を併せ持たすことが出来ます。
【図面の簡単な説明】
【０００９】
【図１】絆創膏の平面図
【図２】絆創膏の断面図
【図３】絆創膏の装着の様を示す斜視図
【図４】絆創膏の装着の様を示す斜視図
【符号の説明】
【００１０】  １  絆創膏
２  粘着剤
３  布
４  窓
５  お尻
６  肛門
【図１】
2017056168.tif 000003
【図２】
2017056168.tif 000004
【図３】
2017056168.tif 000005
【図４】
2017056168.tif 000006